(57)【要約】【課題】  排泄物の横漏れを確実に防止するとともに、前後ウエスト域において排泄物を収容するために十分な大きさを有する収容スペースが形成される開放型の使い捨ておむつの提供。【解決手段】  シャーシ１４のサイド弾性部２５は、前後端接合域６８，６９を介して主体部６５に固定された前後固定端部７０，７１と、主体部６５に固定されていない中間部７２とを有する。前ウエスト域１１において、前端接合域６８を介して主体部６５に固定され、かつ、サイド弾性部２５の内側縁２５ａに連結された前連結パネル５１が配置され、弾性ベルト片１６，１７と連続又は別体であって、後端接合域６９を介して主体部６５に固定され、かつ、サイド弾性部２５の内側縁２５ａに連結された後連結パネル５２とを有し、前後連結パネル５１，５２は、それぞれ、サイド弾性部２５の前記内側縁２５ａ間に位置する非固定域７５，７８を有する。【選択図】図２
2014087428.tif 000002
【特許請求の範囲】
【請求項１】
縦方向及び横方向を有し、肌対向面及び非肌対向面と、前ウエスト域と、後ウエスト域と、前後ウエスト域間に位置するクロッチ域と、少なくとも前記クロッチ域において前記縦方向へ延びる吸液構造体を有するシャーシと、
前記後ウエスト域において前記シャーシの両側縁から前記横方向の外側へ延び、前記肌対向面にファスナ部が配置された弾性ベルト片を含む開放型の使い捨ておむつにおいて、
前記シャーシは、前記吸液構造体が配置された主体部と、前記主体部の前記横方向の外方に位置する両側部と、前記シャーシの前後端部の肌対向面に配置された前後端接合域と、前記両側部を内方へ折曲することによって形成される一対のサイド弾性部とを有し、
前記サイド弾性部は、前記前後端接合域を介して前記主体部に固定された前後固定端部と、前記主体部に固定されていない中間部とを有し、
前ウエスト域において、前記前端接合域を介して前記主体部に固定され、かつ、前記サイド弾性部の内側縁に連結された前連結パネルが配置され、
後ウエスト域において、前記弾性ベルト片と連続又は別体であって、前記後端接合域を介して前記主体部に固定され、かつ、前記サイド弾性部の前記内側縁に連結された後連結パネルが配置されており、
前記前後連結パネルは、それぞれ、前記サイド弾性部の前記内側縁間に位置する非固定域を有する前記おむつ。
【請求項２】
前記サイド弾性部は、前記内側縁部に沿って前記縦方向へ延びる第１レッグ弾性体と、前記第１弾性体の前記横方向の外側に位置して前記縦方向へ延びる第２レッグ弾性体とを有する請求項１に記載のおむつ。
【請求項３】
前記第２レッグ弾性体は、前記前ウエスト域側から後方へ延びる直状部と、前記後ウエスト域側において前記縦方向の外側へ向かうにつれて次第に前記横方向の外側へ延びる曲状部を有する請求項１又は２に記載のおむつ。
【請求項４】
前記後連結パネルは前記横方向に伸縮可能な伸縮域を有し、前記前連結パネルには伸縮域が形成されていない請求項１〜３のいずれかに記載のおむつ。
【請求項５】
前記吸液構造体は、透液性の身体側ライナと吸液層とを有し、前記吸液層は、透液性の第１シートと、透液性又は不透液性の第２シートと、第１及び第２シート間に介在された吸収性ポリマー粒子とを有する請求項１〜４のいずれかに記載のおむつ。
【発明の詳細な説明】
【技術分野】
【０００１】
本発明は、使い捨ておむつ、特に、開放型の使い捨ておむつに関する。
【背景技術】
【０００２】
従来、後ウエスト域の両側縁部の内面に位置するファスナ部と、前ウエスト域の外面に位置するファスナ部が係止される受止部とを有する開放型の使い捨ておむつは公知である。例えば、特許文献１には、後ウエスト域の両側縁から横方向の外側へテープファスナが延びており、テープファスナを前ウエスト域の外面に止着することによって、着用者の身体に着用される開放型の使い捨ておむつが開示される。
【先行技術文献】
【特許文献】
【０００３】
【特許文献１】特開平７−１８４９４７号公報
【発明の概要】
【発明が解決しようとする課題】
【０００４】
特許文献１に開示の開放型の使い捨ておむつは、吸収体から起立可能な一対のバリアカフと、前後ウエスト域のすくなくとも一方において、吸収体の前後端縁の縦方向の外側に位置するエンドフラップと、各バリアカフの内側縁とに固定された連結パネルとを有する。連結パネルは、その各バリアカフの内側縁に固定された固定側部とエンドフラップに固定された固定端部との間に位置する中央非接合域を有し、中央非接合域と吸収体との間には排泄物を収容するための収容スペースが形成される。
【０００５】
しかし、かかるおむつでは、バリアカフを形成するバリアシートが前後ウエスト域においてエンドフラップに固定され、かつ、クロッチ域において吸収体の両側縁から横方向の外側に位置するサイドフラップに固定されているので、バリアカフの高さ寸法が比較的に小さくなり、中央非接合域と吸収体との間に形成される収容スペースが比較的に幅狭であって、移動した排泄物を収容、保持しうる十分な大きさの収容スペースを形成することができない。
【０００６】
そこで、本発明の課題は、従来の技術の改良であって、排泄物の横漏れを確実に防止するとともに、前後ウエスト域において排泄物を収容するために十分な大きさを有する収容スペースが形成される開放型の使い捨ておむつに関する。
【課題を解決するための手段】
【０００７】
前記課題を解決するために、本発明は、縦方向及び横方向を有し、肌対向面及び非肌対向面と、前ウエスト域と、後ウエスト域と、前後ウエスト域間に位置するクロッチ域と、少なくとも前記クロッチ域において前記縦方向へ延びる吸液構造体を有するシャーシと、前記後ウエスト域において前記シャーシの両側縁から前記横方向の外側へ延び、前記肌対向面にファスナ部が配置された弾性ベルト片を含む開放型の使い捨ておむつに関する。
【０００８】
本発明は、前記シャーシは、前記吸液構造体が配置された主体部と、前記主体部の前記横方向の外方に位置する両側部と、前記シャーシの前後端部の肌対向面に配置された前後端接合域と、前記両側部を内方へ折曲することによって形成される一対のサイド弾性部とを有し、前記サイド弾性部は、前記前後端接合域を介して前記主体部に固定された前後固定端部と、前記主体部に固定されていない中間部とを有し、前ウエスト域において、前記前端接合域を介して前記主体部に固定され、かつ、前記サイド弾性部の内側縁に連結された前連結パネルが配置され、後ウエスト域において、前記弾性ベルト片と連続又は別体であって、前記後端接合域を介して前記主体部に固定され、かつ、前記サイド弾性部の前記内側縁に連結された後連結パネルが配置されており、前記前後連結パネルは、それぞれ、前記サイド弾性部の前記内側縁間に位置する非固定域を有することを特徴とする。
【発明の効果】
【０００９】
本発明に係る開放型の使い捨ておむつによれば、前後ウエスト域において、シャーシの一部と折り曲げて形成されたサイド弾性部の内側縁間に前後連結パネルが接合され、前後連結パネルは該内側縁間に非固定域を有するので、前後連結パネルとシャーシとの間に収容スペースが形成され、該スペースにおいて前後ウエスト域に移動した排泄物を収容、保持することができる。
【図面の簡単な説明】
【００１０】
【図１】本発明の第１実施形態における開放型の使い捨ておむつの斜視図。
【図２】おむつのサイドシーム部を剥離して前後方向に伸展した状態をその内面から見た展開平面図。
【図３】おむつの分解斜視図。
【図４】吸液構造体を仮想線で示し、シャーシと各接合域のみを実線で示す、おむつ展開平面図。
【図５】図４のシャーシを展開した様子を示す図。
【図６】各弾性ベルト片を仮想線で示す、おむつの展開平面図。
【図７】図２のＶＩＩ−ＶＩＩ線に沿う模式的断面図。
【図８】図２のＶＩＩＩ−ＶＩＩＩ線に沿う模式的断面図。
【図９】図２のＩＸ−ＩＸ線に沿う模式的断面図。
【図１０】図１のＸ−Ｘ線に沿う断面図。
【図１１】第２実施形態における図２と同様のおむつの展開平面図。
【図１２】図１１のＸＩＩ−ＸＩＩ線に沿う模式的断面図。
【図１３】第３実施形態における図２と同様のおむつの展開平面図。
【図１４】第３実施形態における吸液構造体の一部破断平面図。
【発明を実施するための形態】
【００１１】
＜第１実施形態＞
図１〜図３を参照すると、本実施形態に係る開放型の使い捨ておむつ１０は、縦方向Ｙとそれに直交する横方向Ｘと、縦軸Ｐ及び横軸Ｑとを有する。おむつ１０は、肌対向面及び非肌対向面と、前ウエスト域１１と、後ウエスト域１２と、前後ウエスト域１１，１２間を縦方向Ｙへ延びるクロッチ域１３とを有するシャーシ１４と、少なくともクロッチ域１３の肌対向面に取り付けられた吸液構造体１５と、シャーシ１４の後ウエスト域１２における両側縁部から横方向Ｘの外側へ延出する第１及び第２弾性ベルト片１６，１７とを含む。
【００１２】
シャーシ１４は、縦長の略矩形状であって、カバーシート２０から形成される。
カバーシート２０は、不透液性の繊維不織布シート、プラスチックフィルム又はそれらのラミネートシートから形成された内外面シート２２，２３を有する。内外面シート２２，２３は、両シート２２，２３のうちのいずれか一方のシートの内面に塗布されたホットメルト接着剤（図示せず）を介して互いに接合される。カバーシート２０の両側部は、内方へ折り曲げられて、クロッチ域１３において縦方向Ｙへ延びる一対のサイド弾性部２５が形成される。サイド弾性部２５は、内側縁２５ａと、カバーシート２０の折曲部位からなる外側縁２５ｂとを有する。
【００１３】
各サイド弾性部２５には、縦方向Ｙへ延びる複数条のストランド状又はストリング状の第１及び第２レッグ弾性体２６，２７が配設されており、少なくとも縦方向Ｙにおいて弾性化されている。第１レッグ弾性体２６はサイド弾性部２５の内側縁２５ａに沿って縦方向Ｙへ直状に延びる。第２レッグ弾性体２７は、第１レッグ弾性体２６の横方向Ｘの外側に位置し、横軸Ｑから前ウエスト域１１側へ延びる直状部２９と、横軸Ｑから後ウエスト域１２側へ延びる曲状部３０とを有する。曲状部３０は、後方に向かうにつれて次第に横方向Ｘの外側に延びる。第１及び第２レッグ弾性体２６，２７は、それらの全周に塗布されたホットメルト接着剤又は／および内外面シート２２，２３のいずれか一方の内面に塗布されたホットメルト接着剤を介して縦方向Ｙに伸縮可能な状態で両シート２２，２３間に固定される。
【００１４】
各弾性ベルト片１６，１７は、縦方向Ｙにおいて離間対向する両端縁３２，３３と、横方向Ｘにおいて離間対向する内外側縁３４，３５とを有する。内側縁３４は縦方向Ｙへ延びる直状を有し、外側縁３５は横方向の外方へ向かって凸となる形状を有する。各弾性ベルト片１６，１７の内側縁３４は、後記のとおり、サイド弾性部２５の外側縁２５ｂに沿って縦方向Ｙへ延びる接合域３６を介してシャーシ１４に接合される。各弾性ベルト片１６，１７は、横方向Ｘに伸縮可能な第１弾性部４０と、第１弾性部４０から横方向Ｘの外側に位置するフラップ部４１とをさらに有する。
【００１５】
第１弾性部４０は、繊維不織布又はプラスチックシートから形成された、肌対向面側に位置する第１シート４２と、非肌対向面側に位置する第２シート４３と、横方向Ｘへ延びる複数条のストランド状又はストリング状の第１ウエスト弾性体４４とを有する。第１ウエスト弾性体４４は、第１ウエスト弾性体４４の全周に塗布されたホットメルト接着剤又は／及び第１及び第２シート４２，４３のいずれか一方の内面に塗布されたホットメルト接着剤を介して横方向Ｘに伸縮可能な状態で両シート４２，４３間に固定される。フラップ部４１は、略台形状の補強シート４５から形成される。補強シート４５は、例えば、繊維不織布又はプラスチックシートから形成された２枚のシートから形成される。両シートは、それぞれ、第１シート４２と第２シート４３とに接着又は溶着によって接合されており、第１弾性部４０の外側部が補強シート４５間に介在された状態で固定される。
【００１６】
補強シート４５の外側部の肌対向面には、プラスチックフィルム、繊維不織布、それらのラミネート等の比較的に剛性及び引張強度の高いシート材料から形成され、メカニカルファスナのフック群を有するファスナ部４７が配置される。このように、第１弾性部４０を形成するシート部材とは別体の非伸縮性かつ比較的に高剛性のシートを第１弾性部４０に連結し、それにファスナ部４７を配置させることによって、伸縮域に配置する場合に比して、ファスナ部４７をより安定的に受止シート４８に止着することができる。
【００１７】
受止シート４８は、プラスチックフィルムに繊維不織布や編み物等を貼付して形成された、メカニカルファスナのループ群を有する。受止シート４８は、ホットメルト接着剤、熱シール、粘着テープ等の各種公知の接合手段によって前ウエスト域１１のほぼ外面全体に配置されており、ファスナ部４７を受止シート４８に係脱可能に止着することによって、ウエスト開口４９と一対のレッグ開口とが画定される。
【００１８】
図２を参照すると、受止シート４８は、前ウエスト域１１のほぼ外面全体に配置されているので、ファスナ部４７のターゲット範囲が広く、サイズ調整が容易である。また、通常、開放型おむつは着用者を仰寝させた状態で着用させるところ、受止シート４８は比較的に剛性の高いシート材料から形成されているので、着用者が立位状態であっても、着用補助者が一方の手で前ウエスト域１１を着用者の腹部全体に押し当てた状態のまま他方の手でファスナ部４７を受止シート４８に止着することによって、比較的容易に着用操作を行うことができる。なお、受止シート４８にループ要素を配置せず、受止シート４８を繊維不織布シートから形成し、ファスナ部４７のフック群を該シートを構成する繊維に係止させることによって止着してもよいし、受止シート４８を用いることなく、前ウエスト域１１の外面を形成する繊維不織布シートに直接止着してもよい。また、ファスナ部４７として、フック群のほかに粘着剤を使用してもよいし、その場合には受止シート４８は表面が平滑なプラスチックフィルムから形成してもよい。
【００１９】
前後ウエスト域１１，１２のサイド弾性部２５間において、前後連結パネル５１，５２が吸液構造体１５を跨ぐように内側縁２５ａ近傍に取り付けられる。連結パネル５１，５２は、質量約１０〜２０ｇ／ｍ２の不透液性のＳＭＳ（スパンボンド・メルトブローン・スパンボンド）繊維不織布若しくはスパンボンド不織布から形成された内面シート５３と、透湿性プラスチックシートから形成された外面シート５４とを有する。
【００２０】
後ウエスト域１２に位置する後連結パネル５２は、さらに、内外面シート５３，５４間に介在された複数条のストランド状又はストリング状の第２ウエスト弾性体５５を有する。第２ウエスト弾性体５５は、第２ウエスト弾性体５５の全周に塗布されたホットメルト接着剤又は／及び内外面シート５３，５４のいずれか一方の内面に塗布されたホットメルト接着剤を介して横方向Ｘに伸縮可能な状態で両シート５３，５４間に固定される。後連結パネル５２は、第２ウエスト弾性体５５の配置された領域において、少なくとも横方向Ｘにおいて弾性化された第２弾性部５６を有する。第２弾性部５６が形成されることによって、後連結パネル５２の着用者の肌に対するフィット性が向上する。一方、前連結パネル５１にも弾性部を設けてもよいが、前連結パネル５１に弾性部を設けないことによって、前ウエスト域１１全体が非弾性領域となるので、その外面に配置された受止シート４８に弾性部材の収縮作用による襞や皺が形成されることはなく、その平面性が確保でき、ファスナ部４７を安定的に止着することができる。
【００２１】
本実施形態のおむつ１０においては、第１及び第２ベルト片１６，１７をシャーシ１４に連結するための接合域３６と、後連結パネル５２をシャーシ１４に連結するための後記のサイド接合域７７において弾性部材が配設されていないので、弾性部材を配設するために多量の接着剤を使用して、該接合域の剛性が高くなって肌に違和感を与えたりするおそれはない。
【００２２】
第１及び第２レッグ弾性体２６，２７は、太さ４７０〜９４０ｄｔｅｘ、伸長倍率約２．０〜２．８倍、第１ウエスト弾性体４４は、太さ約４７０〜９４０ｄｔｅｘ、伸長倍率約１．５〜３．５倍、第２ウエスト弾性体５５は、太さ約４７０〜９４０ｄｔｅｘ、伸長倍率約１．５〜３．５倍のストランド状又はストリング状の弾性材料からそれぞれ形成することができる。また、第１及び第２ウエスト弾性体４４，５５の縦方向Ｙにおける離間寸法（ピッチ）は、約５．０〜１５．０ｍｍである。おむつ１０が縦方向Ｙ及び横方向Ｘに伸展された状態において、第１ウエスト弾性体４４の横方向Ｘの寸法、すなわち、第１弾性部４０の横方向Ｘの寸法は、第２ウエスト弾性体５５の横方向Ｘの寸法、すなわち、第２弾性部５６の横方向Ｘの寸法よりも大きくなっている。具体的には、前者が約１９０〜２３０ｍｍ、後者が約１２０〜１６０ｍｍである。このように、第１弾性部４０の横方向Ｘの寸法が第２弾性部５６の横方向Ｘの寸法よりも大きいことによって、着用者のウエスト周りに対するフィット性が向上し、着用時におけるクロッチ域の位置ずれを防止することができる。
【００２３】
図３を参照すると、吸液構造体１５は、ホットメルト接着剤を介してカバーシート２０の主体部６５の肌対向面に固定されており、吸液層６０と、透液性シートから形成された吸液層の少なくとも肌対向面側を被覆する身体側ライナ６１とを有する。吸液層６０は、不水溶性かつ自己質量の１０倍以上の吸水力を有するいわゆる高吸収性ポリマー粒子（ＳＡＰ）、木材フラッフパルプ、オプションとして熱可塑性繊維を僅かに含む混合物から形成された吸収性コアを親水性ＳＭＳ不織布などの透液性シートで被包することによって形成される。
【００２４】
図４及び５を参照すると、カバーシート２０は、その展開状態において、横方向Ｘへ互いに並行して直状に延びる両端縁２０ａ，２０ｂと、縦方向Ｙへ互いに並行して直状に延びる両側縁２０ｃ，２０ｄとによって画定された矩形状であって、吸液構造体が配置される主体部６５（シャーシの主体部）と、縦方向Ｙに延びる一対の折曲ライン６７と、折曲ライン６７の横方向Ｘの外側に位置する本体両側部６６とを有する。カバーシート２０の両側部６６の内面には、両側縁２０ｃ，２０ｄ間において両端縁２０ａ，２０ｂに沿って横方向Ｘに一連に延びる前後端接合域６８，６９が配置されており、折曲ライン６７に沿って両側部６６を主体部６５に向かって折り曲げ、前後端接合域６８，６９を介して互いに固定することによって、サイド弾性部２５が形成される。図４を参照すると、サイド弾性部２５の前後固定端部７０，７１は、それぞれ、前後端接合域６８，６９を介して主体部６５に固定され、前後固定端部７０，７１間に位置する中間部７２は主体部６５に固定されていない。このように、中間部７２全体が主体部６５に固定されていないことから、着用状態において、前後固定端部７０，７１間において比較的に高さ寸法の大きなバリアカフが形成される。
【００２５】
図６，７及び１０を参照すると、前連結パネル５１は、その中央部がサイド弾性部２５の前固定端部７０間に位置する前端接合域６８を介してシャーシ１４に接合され、かつ、その両側部がサイド弾性部２５の内側縁２５ａに沿って縦方向Ｙへ延びるサイド接合域７４を介してシャーシ１４に接合される。前端接合域６８の縦方向Ｙの寸法はサイド接合域７４の縦方向Ｙの寸法よりも小さく、前端接合域６８とサイド接合域７４との間には前連結パネル５１が主体部６５に固定されていない非固定域７５が画定される。図７に示すとおり、かかる非固定域７５が画定されることによって、主体部６５と前連結パネル５１との間には、排泄物を収容するための前中央スペース７６が形成される。また、前ウエスト域１１においては、サイド弾性部２５の中間部７２のうちの前固定端部７０寄りの部位である前端自由部８０と主体部６５との間に形成された前サイドスペース８２と前連結パネル５１の下方に位置する前中央スペース７６とが横方向Ｘにおいて連通することによって、前収容スペース（前方ポケット）８３が形成される。
【００２６】
図６及び８〜１０を参照すると、後ウエスト域１２において、第１及び第２弾性ベルト片１６，１７は、サイド弾性部２５の外側縁２５ｂに沿って縦方向Ｙに延びる接合域３６を介してシャーシ１４に固定される。また、後連結パネル５２は、その中央部がサイド弾性部２５の固定後端部７１間に位置する後端接合域６９を介してシャーシ１４に接合され、かつ、その両側部がサイド弾性部２５の内側縁２５ａに沿って縦方向Ｙへ延びるサイド接合域７７を介してシャーシ１４に接合される。後端接合域６９の縦方向Ｙの寸法はサイド接合域７７の縦方向Ｙの寸法よりも小さく、後端接合域６９とサイド接合域７７との間には後連結パネル５２が主体部６５に固定されていない非固定域７８が画定される。図８に示すとおり、かかる非固定域７８が画定されることによって、主体部６５及び吸液構造体１５の後端部と後連結パネル５２との間には排泄物を収容するための後中央スペース７９が形成される。
【００２７】
図８を参照すると、後ウエスト域１２においては、サイド弾性部２５の中間部７２の後固定端部７１寄りの部位である後端自由部８１と主体部６５との間に形成された後サイドスペース８４と、後連結パネル５２の下方に位置する後中央スペース７９とが横方向Ｘにおいて連通することによって、後収容スペース（後方ポケット）８５が形成される。後連結パネル５２においては、第２弾性部５６が配置されていることによって、着用者の身体に対する密着性が向上し、着用者の姿勢等による影響を受けることなく後収容スペース８５が安定的に形成される。
【００２８】
ここで、例えば、サイド弾性部２５がシャーシ１４の主体部６５と別体のシート部材から形成され、かつ、その前後端部及び両側縁部が主体部６５に固定されている場合には、バリアカフの立ち上がり起点となる部位がサイド弾性部２５の外側縁２５ｂ（折曲縁）よりも横方向Ｘの内方に位置するので、バリアカフの高さ寸法が比較的に小さくなる。したがって、前後サイドスペース８２，８４が狭小となり、前後収容スペース８３，８５が前後ウエスト域１１，１２に移動した排泄物を十分に収容することができないおそれがある。本実施形態に係るおむつ１０の場合には、サイド弾性部２５の前後端自由部８０，８１が前後ウエスト域１１，１２に位置し、前後連結パネル５１，５２の下方に位置する前後中央スペース７６，７９と連通してシャーシ１４の横方向Ｘ寸法全体に延びる前後収容スペース（前後ポケット）８３，８５が形成されるから、前後ウエスト域１１，１２に移動した排泄物を十分に収容することができ、排泄物が着用者の胴周りに付着するのを防止することができる。このように、比較的に高さ寸法の大きなバリアカフが形成されることから、バリアカフの自由縁部（サイド弾性部２５の内側縁２５ａ）が着用者の大腿部に密着して排泄物の横漏れを防止されるとともに、吸液構造体１５の中央部は着用者の身体から離間するので、シャーシ１４内にはより大きな排泄物の収容スペースが形成される（図１０参照）。
【００２９】
再び、図６を参照すると、本実施形態においては、サイド弾性部２５の第１レッグ弾性体２６の後端２６ａが後連結パネル５２の第２弾性部５６の下端に近接している。ここで、「第１レッグ弾性体２６が近接する」とは、サイド弾性部２５と後連結パネル５２とが連結されるサイド接合域７７と第１レッグ弾性体２６の実質的に伸縮性を発現している部分が重なること、又は、かかる実質的に伸縮性を発現する部分は重ならないが、カットバックされて実質的に伸縮性に発現していない部分とが重なることを意味する。このように、第１レッグ弾性体２６が第２弾性部５６に近接するので、着用者の姿勢が変化したり、着用者の体型が異なる場合であっても、それらが連動してサイド弾性部２５と後連結パネル５２とが着用者の身体に密着し、後方収容スぺース８５が安定的に形成される。
【００３０】
＜第２実施形態＞
図１１及び図１２を参照すると、本実施形態においては、第１及び第２弾性ベルト片１６，１７と後連結パネル５２とに相当する部分が、一連に横方向Ｘに延びる弾性ウエストパネル９０から形成される。弾性ウエストパネル９０は、サイド弾性部２５の肌対向面に位置し、第２弾性部５６を囲むように横軸Ｑに向かってコ字状を有する接合域８９を介してシャーシ１４に固定される。かかる態様においても、前後ウエスト域１１，１２においてサイドスペースと中央スペースとが連通した前後収容スペースが形成されるので、前後ウエスト域１１，１２に移動した排泄物を確実に収容することができる。
【００３１】
＜第３実施形態＞
図１３及び図１４を参照すると、本実施形態においては、吸液構造体１５の吸液層６０は、主として高吸収性ポリマー粒子から形成された吸収性コアと、肌対向面側に位置する質量約８．０〜１５．０ｇ／ｍ２、好ましくは、質量約１０．０ｇ／ｍ２の透液性の繊維不織布から形成された第１シート（上面シート）９１と、非肌対向面側に位置する質量約８．０〜１５．０ｇ／ｍ２、好ましくは、１１．０ｇ／ｍ２の透液性又は難透液性或いは不透液性のＳＭＳ繊維不織布から形成された第２シート（下面シート）９２とを含む。
【００３２】
吸液層６０は、さらに、吸収性コアが配置された、縦方向Ｙへ所与寸法離間する略矩形状に画定された吸液域９３と、吸収性コアが実質的に配置されていない、吸液域を取り囲むように形成されたシール部９４とを有する。なお、本実施形態において、吸液域９３は、８つの区域に区分されているが、吸液構造体１５の要する吸収性能に応じてその面積、区域数を適宜変更することができ、例えば、８つ以上の区域に区分されていてもよいし、吸液構造体１５の全体に延びる１つの区域のみから形成されていてもよい。
【００３３】
吸液域９３では、第１シート９１の内面には、ホットメルト接着剤９６を介して質量約３０〜３００ｇ／ｍ２、好ましくは、質量約４０〜２８０ｇ／ｍ２の高吸収性ポリマー粒子９５がほぼ一様に固定されている。高吸収性ポリマー粒子９５には、吸液層６０全体の吸収速度を調整するために、例えば、吸収速度の異なる２種類のものを併用することができる。また、後記の本発明の効果を奏する限りにおいて、吸収性コアには、高吸収性ポリマー粒子９５のみならずフラッフパルプやオプションとして熱可塑性繊維などの公知の材料を比較的に低い混合率でその一部に含むものであってもよい。具体的には、フラッフパルプ等の吸水性繊維を混合する場合は、吸収性コア全体に対して約０〜３０質量％の割合で混合されていることが好ましい。ホットメルト接着剤９６には、各種公知のものを使用することができるが、体液の吸収後であって、吸収性ポリマー粒子が第１シート９１から剥離しないようにするために、疎水性を有する接着剤を使用することが好ましい。
【００３４】
このように、吸液層６０の吸収性コアは、吸収性ポリマー粒子９５とそれを被包するシート部材のみから形成されているので、吸液構造体１５は、吸収性コアが吸収性ポリマー粒子９５とフラッフパルプとの混合物から形成されている場合に比して薄くなる。したがって、シャーシ１４内において、比較的に多量の排泄物を収容、保持しうるより大きな収容スペースが形成される。
【００３５】
おむつ１０を構成する各構成部材には、本明細書に記載されている材料のほかに、この種の物品において通常用いられている各種の公知の材料を制限なく用いることができる、また、本発明の明細書及び特許請求の範囲において、「第１」、「第２」および「第３」の用語は、同様の要素、位置などを単に区別するために用いられている。
【００３６】
以上に記載した本発明に関する開示は、少なくとも下記事項に要約することができる。
【００３７】
縦方向及び横方向を有し、肌対向面及び非肌対向面と、前ウエスト域と、後ウエスト域と、前後ウエスト域間に位置するクロッチ域と、少なくとも前記クロッチ域において前記縦方向へ延びる吸液構造体を有するシャーシと、前記後ウエスト域において前記シャーシの両側縁から前記横方向の外側へ延び、前記肌対向面にファスナ部が配置された弾性ベルト片を含む開放型の使い捨ておむつにおいて、
前記シャーシは、前記吸液構造体が配置された主体部と、前記主体部の前記横方向の外方に位置する両側部と、前記シャーシの前後端部の肌対向面に配置された前後端接合域と、前記両側部を内方へ折曲することによって形成される一対のサイド弾性部とを有し、前記サイド弾性部は、前記前後端接合域を介して前記主体部に固定された前後固定端部と、前記主体部に固定されていない中間部とを有し、前ウエスト域において、前記前端接合域を介して前記主体部に固定され、かつ、前記サイド弾性部の内側縁に連結された前連結パネルが配置され、後ウエスト域において、前記弾性ベルト片と連続又は別体であって、前記後端接合域を介して前記主体部に固定され、かつ、前記サイド弾性部の前記内側縁に連結された後連結パネルが配置されており、前記前後連結パネルは、それぞれ、前記サイド弾性部の前記内側縁間に位置する非固定域を有する前記おむつ。
【００３８】
上記段落００３７に開示した本発明は、少なくとも下記の実施の形態を含むことができる。
（１）前記サイド弾性部は、前記内側縁部に沿って前記縦方向へ延びる第１レッグ弾性体と、前記第１レッグ弾性体の前記横方向の外側に位置して前記縦方向へ延びる第２弾性体とを有する。
（２）前記第２レッグ弾性体は、前記前ウエスト域側から後方へ延びる直状部と、前記後ウエスト域側において前記縦方向の外側へ向かうにつれて次第に前記横方向の外側へ延びる曲状部を有する。
（３）前記後連結パネルは前記横方向に伸縮可能な伸縮域を有し、前記前連結パネルには伸縮域が形成されていない。
（４）前記吸液構造体は、透液性の身体側ライナと吸液層とを有し、前記吸液層は、透液性の第１シートと、透液性又は不透液性の第２シートと、第１及び第２シート間に介在された吸収性ポリマー粒子とを有する。
【符号の説明】
【００３９】
１０  開放型の使い捨ておむつ
１１  前ウエスト域
１２  後ウエスト域
１３  クロッチ域
１４  シャーシ
１５  吸液構造体
１６，１７  弾性ベルト片
２５  サイド弾性部
２５ａ  サイド弾性部の内側縁
２５ｂ  サイド弾性部の外側縁
２６  第１レッグ弾性体
２７  第２レッグ弾性体
２９  第２レッグ弾性体の直状部
３０  第２レッグ弾性体の曲状部
４７  ファスナ部
５１  前連結パネル
５２  後連結パネル
５５  第２ウエスト弾性体
５６  第２弾性部
６０  吸液層
６５  シャーシの主体部
６６  シャーシの両側部
６８  前端接合域
６９  後端接合域
７０  サイド弾性部の前固定端部
７１  サイド弾性部の後固定端部
７２  サイド弾性部の中間部
９１  第１シート
９２  第２シート
９３  吸液域
９４  シール部
９５  吸収性ポリマー粒子
Ｘ  横方向
Ｙ  縦方向
【図１】
2014087428.tif 000003
【図２】
2014087428.tif 000004
【図３】
2014087428.tif 000005
【図４】
2014087428.tif 000006
【図５】
2014087428.tif 000007
【図６】
2014087428.tif 000008
【図７】
2014087428.tif 000009
【図８】
2014087428.tif 000010
【図９】
2014087428.tif 000011
【図１０】
2014087428.tif 000012
【図１１】
2014087428.tif 000013
【図１２】
2014087428.tif 000014
【図１３】
2014087428.tif 000015
【図１４】
2014087428.tif 000016